(57)【要約】      （修正有）【課題】就寝時などにおいて顔面を遮蔽し、嵩張らず軽量であり、破損しにくい頭部遮蔽カバーを提供する。【解決手段】頭部遮蔽カバー１は、一対の矩形のシート片が、連続する三つの辺Ｅ１，Ｅ２，Ｅ３で互いに結合され、辺Ｅ４が開口する袋状に形成されており、一対のシート片のいずれもが、辺Ｅ１に平行な第一直線と、辺Ｅ１と辺Ｅ２とが交わる頂点Ｃ１から４５度の角度で延びる第二直線と、を有する。さらに、一対のシート片のいずれもが、第一直線のうち辺Ｅ４から第二直線までの区間Ｌ１において山折りされるとともに、第二直線のうち頂点Ｃ１から第一直線までの区間Ｌ２において山折りまたは谷折りで折り返されて、内部に人の頭部を収容する空間１２が形成される。【選択図】図２
0003174042.tif 000002
【実用新案登録請求の範囲】
【請求項１】
一対の矩形のシート片が、連続する第一辺から第三辺の三つの辺で互いに結合され、第四辺が開口する袋状に形成されており、
前記一対のシート片のいずれもが、
前記第一辺に平行な第一直線と、
前記第一辺と第二辺とが交わる第一頂点から４５度の角度で延びる第二直線と、を有し、
前記一対のシート片のいずれもが、前記第一直線のうち前記第四辺から前記第二直線までの区間において山折りされるとともに、前記第二直線のうち前記第一頂点から前記第一直線までの区間において山折りまたは谷折りで折り返されて、内部に人の頭部を収容する空間が形成される
ことを特徴とする頭部遮蔽カバー。
【請求項２】
前記第二直線のうち前記第一頂点から前記第一直線までの区間において谷折りで折り返され、前記第一頂点が前記空間内に位置する
ことを特徴とする請求項１に記載の頭部遮蔽カバー。
【請求項３】
一枚のシートが前記第二辺に対応する折り目で折られて前記一対のシート片を構成する
ことを特徴とする請求項１または２に記載の頭部遮蔽カバー。
【請求項４】
前記第三辺と前記第四辺とが交わる頂点を含む領域が切り欠かれている
ことを特徴とする請求項１〜３のいずれかに記載の頭部遮蔽カバー。
【請求項５】
前記シート片が不織布または紙からなる
ことを特徴とする請求項１〜４のいずれかに記載の頭部遮蔽カバー。
【請求項６】
前記シート片に遮光性塗料が塗布されている
ことを特徴とする請求項５に記載の頭部遮蔽カバー。
【考案の詳細な説明】
【技術分野】
【０００１】
本考案は、就寝時などにおいて顔面を遮蔽する、頭部遮蔽カバーに関する。
【背景技術】
【０００２】
従来、多数の人が就寝する場所において、他人に寝顔が見られないようにするため、アイマスクやマスクなどを着用したまま就寝することが広く行われてきた。しかし、アイマスクやマスクは顔面に接触するため圧迫感が与え、安眠を妨げるおそれがあった。そこで、就寝時に顔面に接触することのないカバーが考案されていた（特許文献１参照）。
【０００３】
しかし、特許文献１に記載のカバーは蛇腹式でありかつ収納ケースと一体に構成されているため、嵩張り、重量が重く、破損しやすく、また高価であるという問題があった。そのため、災害時に避難所となる施設に多数常備しておくことが困難であり、また、高速バスや飛行機の各座席に常備するのにも不向きであった。
【先行技術文献】
【特許文献】
【０００４】
【特許文献１】実用新案登録第３１０５４９０号公報
【考案の概要】
【考案が解決しようとする課題】
【０００５】
そこで、本考案が解決しようとする課題は、嵩張らず軽量であり、破損しにくい頭部遮蔽カバーを提供することである。
【課題を解決するための手段】
【０００６】
本考案は、前記課題を解決するためになされたもので、請求項１に記載の考案は、一対の矩形のシート片が、連続する第一辺から第三辺の三つの辺で互いに結合され、第四辺が開口する袋状に形成されており、前記一対のシート片のいずれもが、前記第一辺に平行な第一直線と、前記第一辺と第二辺とが交わる第一頂点から４５度の角度で延びる第二直線と、を有し、前記一対のシート片のいずれもが、前記第一直線のうち前記第四辺から前記第二直線までの区間において山折りされるとともに、前記第二直線のうち前記第一頂点から前記第一直線までの区間において山折りまたは谷折りで折り返されて、内部に人の頭部を収容する空間が形成されることを特徴とする頭部遮蔽カバーである。
【０００７】
請求項１に記載の考案によれば、折り畳みが可能であり、嵩張らず軽量でありかつ破損しにくい頭部遮蔽カバーを提供することができる。
【０００８】
請求項２に記載の考案は、前記第二直線のうち前記第一頂点から前記第一直線までの区間において谷折りで折り返され、前記第一頂点が前記空間内に位置することを特徴とする請求項１に記載の頭部遮蔽カバーである。
【０００９】
請求項２に記載の考案によれば、外側に突起がなく、使用者の頭部の動きを妨げることのない頭部遮蔽カバーを提供することができる。
【００１０】
請求項３に記載の考案は、一枚のシートが前記第二辺に対応する折り目で折られて前記一対のシート片を構成することを特徴とする請求項１または２に記載の頭部遮蔽カバーである。
【００１１】
請求項３に記載の考案によれば、一枚のシートから構成することが可能な頭部遮蔽カバーを提供することができる。
【００１２】
請求項４に記載の考案は、前記第三辺と前記第四辺とが交わる頂点を含む領域が切り欠かれていることを特徴とする請求項１〜３のいずれかに記載の頭部遮蔽カバーである。
【００１３】
請求項４に記載の考案によれば、使用時に呼吸に対する心理的な圧迫を与えない頭部遮蔽カバーを提供することができる。
【００１４】
請求項５に記載の考案は、前記シート片が不織布または紙からなることを特徴とする請求項１〜４のいずれかに記載の頭部遮蔽カバーである。
【００１５】
請求項５に記載の考案によれば、遮光性、遮音性、通気性、保温性、保湿性などを適宜設定することができ、また文字や図柄をシート片に施して情報を付与することが可能な、頭部遮蔽カバーを提供することができる。
【００１６】
請求項６に記載の考案は、前記シート片に遮光性塗料が塗布されていることを特徴とする請求項５に記載の頭部遮蔽カバーである。
【００１７】
請求項６に記載の考案によれば、内部の空間に入ってくる光の量を調整でき、また使用者に対して図柄を見せることが可能な、頭部遮蔽カバーを提供することができる。
【考案の効果】
【００１８】
本考案によれば、折り畳みが可能であり、嵩張らず軽量でありかつ破損しにくい頭部遮蔽カバーを提供することができる。
【図面の簡単な説明】
【００１９】
【図１】本考案にかかる頭部遮蔽カバーを構成するシート片の形状および折り目を示す説明図である。
【図２】三次元形状が形成された、本考案の第一実施形態に係る頭部遮蔽カバーを示す斜視図である。
【図３】三次元形状が形成された、本考案の第一実施形態に係る頭部遮蔽カバーを示す三面図であって、（ａ）は側面図、（ｂ）は正面図、（ｃ）は底面図である。
【図４】本考案の第一実施形態に係る頭部遮蔽カバーの使用状態を示す説明図である。
【図５】本考案の第一実施形態に係る頭部遮蔽カバーを折り畳んだ状態を示す説明図である
【図６】三次元形状が形成された、本考案の第二実施形態に係る頭部遮蔽カバーを示す斜視図である。
【図７】三次元形状が形成された、本考案の第二実施形態に係る頭部遮蔽カバーを示す三面図であって、（ａ）は側面図、（ｂ）は正面図、（ｃ）は底面図である。
【考案を実施するための形態】
【００２０】
次に、本考案の実施形態について図面に基づき説明する。なお、以下に述べる実施形態は、本考案の好適な実施形態であるから、技術的に好ましい種々の限定が付されているが、本考案の範囲は、以下の説明において特に本考案を限定する旨の記載がない限り、これらの態様に限られるものではない。
【００２１】
（第一実施形態）
本考案の第一の実施形態に係る頭部遮蔽カバーについて説明する。図１は、本考案にかかる頭部遮蔽カバーを構成するシート片の形状および折り目を示す説明図であり、図２は、三次元形状が形成された、本考案の第一実施形態に係る頭部遮蔽カバーを示す斜視図であり、また図３は、三次元形状が形成された、本考案の第一実施形態に係る頭部遮蔽カバーを示す三面図である。
【００２２】
まず図１に基づき、頭部遮蔽カバー１の構成を説明する。図示の頭部遮蔽カバー１は、一対の矩形のシート片Ｓ１，Ｓ２が、三つの辺で互いに結合されて袋状に形成されている。シート片Ｓ１，Ｓ２は、連続する三つの辺Ｅ１，Ｅ２，Ｅ３で互いに結合されており、辺Ｅ４が開口する辺となる。図示の頭部遮蔽カバー１は、辺Ｅ３と辺Ｅ４との交点である頂点Ｃ３を含む領域が切り欠かれ、円弧状の切欠１３が形成されているとともに、辺Ｅ２と辺Ｅ３との交点である頂点Ｃ２を含む領域が切り欠かれ、円弧状の切欠１８が形成されている。シート片Ｓ１，Ｓ２は、切欠１８においても互いに結合されている。
【００２３】
シート片Ｓ１，Ｓ２は軟質で折り畳み可能であり、頭部遮蔽カバー１は、シート片Ｓ１，Ｓ２がそれぞれ所定の折り目で折られることにより三次元形状となり、内部に人の頭部を収容する空間が形成されるよう構成される。そのため、シート片Ｓ１，Ｓ２いずれにも折り目が規定されている。図１に基づき、その折り目を説明する。
【００２４】
シート片Ｓ１，Ｓ２には、辺Ｅ１に平行な第一直線と、辺Ｅ１と辺Ｅ２とが交わる頂点Ｃ１から４５度の角度で延びる第二直線とが規定され、第一直線と第二直線とは点Ｐで交わる。第一直線の位置は任意である。第一直線のうち辺Ｅ４から点Ｐまでの区間が線分Ｌ１、第二直線のうち頂点Ｃ１から点Ｐまでの区間が線分Ｌ２、第一直線に垂直な直線で点Ｐから辺Ｅ１までの区間が線分Ｌ３、第一直線のうち点Ｐから辺Ｅ２までの区間が線分Ｌ４、第二直線に垂直な直線で点Ｐから辺Ｅ２までの区間が線分Ｌ５として、それぞれ規定される。
【００２５】
次に頭部遮蔽カバー１のシート片Ｓ１，Ｓ２の折り方を、図１〜３に基づき説明する。まず、二つのシート片Ｓ１，Ｓ２それぞれの辺Ｅ４同士を離間させ、閉じている辺Ｅ１を１８０度開くとともに、線分Ｌ１を山折りで９０度折り曲げる。それとともに、頂点Ｃ１をシート片Ｓ１とシート片Ｓ２との間に形成される空間１２内に押し込み、線分Ｌ２を谷折りで折り返すとともに、線分Ｌ３を山折りで折り返す。これに伴い、線分Ｌ４も山折りで折られ、線分Ｌ３に重なる。また、線分Ｌ５も山折りで浅い角度で折られることになる。こうして三次元形状が形成され、底面１４，右面１５，左面１６，上部面１７および開口１１により区画される空間１２が形成される。なお、底面１４は辺Ｅ４，線分Ｌ１，Ｌ３，Ｌ１で区画された平面であり、右面１５，左面１６はそれぞれシート片Ｓ１，Ｓ２における辺Ｅ２，Ｅ３，切欠１３，辺Ｅ４，線分Ｌ１，Ｌ５で区画された曲面であり、上部面１７は線分Ｌ４，Ｌ５，Ｌ５で区画された面である。また、開口１１は、辺Ｅ４と切欠１３とを縁に持つ。空間１２は、開口１１からアクセス可能であり、人の頭部が収容可能な大きさに設定されている。
【００２６】
底面１４の大きさは、辺Ｅ１と線分Ｌ１との距離、すなわち辺Ｅ１と第一直線との距離によってきまる。第一直線の位置は任意とすることができるので、必要な底面１４の大きさに応じて、第一直線の位置を決めればよい。
【００２７】
なお、線分Ｌ３に線分Ｌ４が重なることにより、頂点Ｃ１を先端に有する三角形状の舌片Ｔが空間１２内に形成され（図３（ｂ）参照）、舌片Ｔは、線分Ｌ２，Ｌ２，Ｌ３で区画された三角形と、線分Ｌ２，Ｌ２，Ｌ４で区画された三角形とが重なりあって構成される。
【００２８】
なお、線分Ｌ５を折り曲げることなく上部面１７を曲面状にし、上部面１７と右面１５および左面１６とが線分Ｌ５を介して滑らかに繋がるよう構成することも可能である。
【００２９】
このように折り曲げにより形成された三次元形状は、折り曲げ部が強度および剛性を有する。そのため、補強用の柱などの部材を別途必要とすることなく、三次元形状を維持することが可能である。
【００３０】
折り目である線分Ｌ１，Ｌ２，Ｌ３に、予め折目加工を施しておけば、折り込んで所定の三次元形状を形成しやすくなり好適である。また、シート片Ｓ１，Ｓ２を広げた状態からでも所定の三次元形状を再現することが容易となるため、好適である。さらに、形態安定加工を施しておけば、何度も所定の三次元形状を再現することが容易となるため、好適である。
【００３１】
次に、本考案に係る頭部遮蔽カバー１の使用方法について図４に基づき説明する。使用者は、頭部遮蔽カバー１を頭部Ｈに被り仰臥して就寝する。このとき頭部遮蔽カバー１の空間１２には頭部Ｈが収容され、頭部Ｈの後頭部が底面１４の内側に当接し、底面１４の外側が枕Ｐに当接する。この状態で、辺Ｅ２と辺Ｅ３とが交わる頂点Ｃ２の近傍が使用者の視界に入るが、頂点Ｃ２を含む領域は円弧状に切り欠かれているため、視覚的に気にならない。
【００３２】
また、開口１１の前方側には切欠１３が位置するため、開口１１の形状が変形しやすく構成されている。そのため、顔面のうち口周辺については、重力によりシート片Ｓ１，Ｓ２が顔面により近接することになるので、口周辺も外部から見られることがない。また、使用者がせきやくしゃみをした場合でも、唾液はシート片Ｓ１，Ｓ２に付着して外部への飛散が防止されるので、衛生的に好適である。
【００３３】
このように頭部遮蔽カバー１を使用することによって、光が遮蔽されるとともに外部から寝顔を見られることが防止され、使用者のプライバシーを確保することが可能となる。また、空間１２は開口１１のみで外部と連通するため、空間１２内の保温および保湿が実現できる。また、シート片Ｓ１，Ｓ２は軟質であるため、就寝時に頭部遮蔽カバー１が使用者の動きを拘束することもなく、使用者がけがをするおそれもない。さらに、シート片Ｓ１，Ｓ２は軟質であるため、ベッドから落下するなどしても、頭部遮蔽カバー１が破損するおそれもない。
【００３４】
なお、図４には床Ｇの上に仰向けで就寝する状態を示したが、バスや飛行機の座席で就寝するときにも勿論使用可能である。その場合は底面１４の外側は座席のヘッドレストに当接することになる。
【００３５】
次に、頭部遮蔽カバー１を折り畳んで収納する方法について図１，５に基づき説明する。図１に示すように、シート片Ｓ１において、辺Ｅ１に平行な線分で、辺Ｅ２と線分Ｌ５との交点を通る線分Ｌ６が規定される。三次元形状が形成された頭部遮蔽カバー１の状態から、シート片Ｓ１について線分Ｌ６を谷折りで折り返すと、図５に示されるように平面状に折り畳まれる。このように折り畳むことで、嵩張らず、収納が容易になるため、頭部遮蔽カバー１を一か所に大量に収納したり、バスや飛行機の各座席のポケットに収納したりすることが可能となる。勿論、図５に示す状態からさらに折り畳むことも可能である。
【００３６】
なお、本考案にかかる頭部遮蔽カバー１のシート片Ｓ１，Ｓ２は、一枚のシートを折って構成することも可能である。すなわち、一枚の矩形のシートを二つ折りにしてその折り目を辺Ｅ２とし、折り目に隣接する二つの辺をそれぞれ互いに結合して辺Ｅ１，Ｅ３を構成することができる。辺同士の結合には、縫着、接着等の公知の手段が用いられる。
【００３７】
また、図１〜５に示す頭部遮蔽カバー１は、頂点Ｃ３を含む領域および頂点Ｃ２を含む領域がそれぞれ円弧状に切り欠かれているが、直線状などその他の形状に切り欠くことも勿論可能である。また、切り欠きの無い構成とすることも勿論可能である。
【００３８】
また、シート片Ｓ１，Ｓ２には合成樹脂を含む任意の軟質材を用いることも可能であるが、紙や不織布で構成することが好適である。通気性を有するため、空間１２の温度および湿度を好適に保てるからである。シート片Ｓ１，Ｓ２の材料や厚みを変更することにより、遮光性、遮音性、通気性、保温性、保湿性などを調整することが可能となる。また、シート片Ｓ１，Ｓ２を洗濯可能な素材とした場合、適宜洗濯することで長期間衛生的に使用することができる。
【００３９】
また、使用者の好みに応じてシート片Ｓ１，Ｓ２にアップリケや刺繍を施すことも可能となる。また、使用者の好みに応じてアロマオイルなどをシート片Ｓ１，Ｓ２に含浸させて、リラックス効果を得ることも可能となる。さらに、シート片Ｓ１，Ｓ２に印刷を施すことも可能であり、これにより情報を発信したり広告宣伝したりすることが可能となる。
【００４０】
また、シート片Ｓ１，Ｓ２に遮光性塗料を塗布することにより、外部から空間１２に入る光の量を調整することができる。すなわち、遮光性塗料が塗布されている部分では外部から空間１２に入る光が遮蔽されるため、空間１２の内側から当該部分を見ると暗く見え、一方、遮光性塗料が塗布されていない部分では外部から空間１２に入る光が遮蔽されないため、内側から当該部分を見ると明るく見える。すなわち、遮光性塗料を用いて明暗を表現することが可能となる。これにより、例えば、遮光性塗料が塗布されていない部分が点在するような図柄をシート片Ｓ１，Ｓ２に形成した上で、外部が明るい環境において内側からシート片Ｓ１，Ｓ２を見ると、遮光性塗料が塗布されていない部分だけが星のように明るく見えるので、プラネタリウムのような雰囲気が演出され、使用者はリラックス効果を得ることが可能となる。シート片Ｓ１，Ｓ２と同色の遮光性塗料を用いて図柄を付与すると、外観からはどのような図柄が付与されているのかが解らず、使用したときの驚きが大きくなるため、好適である。なお、任意の塗料を用いて任意の図柄をシート片Ｓ１，Ｓ２に付与できる。
【００４１】
（第二実施形態）
次に、本考案の第二実施形態に係る頭部遮蔽カバーについて、図１，６，７に基づき説明する。なお、以下においては、第一実施形態との相違点を中心に説明し、対応する箇所には同一の符号を付して説明する。図６は、三次元形状が形成された、本考案の第二実施形態に係る頭部遮蔽カバーを示す斜視図であり、また図７は、三次元形状が形成された、本考案の第二実施形態に係る頭部遮蔽カバーを示す三面図である。
【００４２】
本考案の第二実施形態に係る頭部遮蔽カバー１も、第一実施形態と同様に、図１に示す袋状に形成された一対の矩形のシート片Ｓ１，Ｓ２から構成され、シート片Ｓ１，Ｓ２の折り目の位置も第一実施形態と同様である。しかし、三次元形状を形成するために折り目を折る方向が、第一実施形態とは一部異なっており、線分Ｌ２は第一実施形態では谷折りで折り返されるのに対して、第二実施形態では山折りで折り返される。また、線分Ｌ３は第一実施形態では山折りで折り返されるのに対して、第二実施形態では谷折りで折られる。このようにして、図６，７に示す三次元形状が形成される。なお第一実施形態では線分Ｌ４が山折りで折られるが、第二実施形態では、図示の三次元形状を形成するために線分Ｌ４を折る必要はない。人の頭部が収容可能な大きさに設定された空間１２が形成されることは第一実施形態と同様であり、使用方法および収納方法も第一実施形態と同様である。
【００４３】
なお、線分Ｌ３に線分Ｌ４が重なることにより、頂点Ｃ１を先端に有する三角形状の舌片Ｔが形成されるのは第一実施形態と同様であるが、その位置が第一実施形態とは異なり、第二実施形態では舌片Ｔは空間１２の外に形成される。図６，７に示す頭部遮蔽カバー１は、舌片Ｔが底面１４から突出しているが、舌片Ｔと底面１４とが同一面上に位置するようＬ３およびＬ４の少なくともいずれか一方を適宜折り曲げることも勿論可能である。こうすることにより、舌片Ｔが就寝中の使用者の頭部の動きを妨げることはない。
【符号の説明】
【００４４】
１        頭部遮蔽カバー
１１        開口
１２        空間
１３        切欠
Ｓ１，Ｓ２  シート片
Ｅ１        辺（第一辺）
Ｅ２        辺（第二辺）
Ｅ３        辺（第三辺）
Ｅ４        辺（第四辺）
Ｃ１        頂点（第一頂点）
Ｃ３        頂点（第三頂点）
Ｌ１，Ｌ２  線分
Ｔ          舌片
【図１】
0003174042.tif 000003
【図２】
0003174042.tif 000004
【図３】
0003174042.tif 000005
【図４】
0003174042.tif 000006
【図５】
0003174042.tif 000007
【図６】
0003174042.tif 000008
【図７】
0003174042.tif 000009